【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
入力面と、この入力面の周囲に位置された外周縁と、前記入力面に沿う方向に前記外周縁に開口された係合孔と、を有する筐体と、
前記筐体の前記外周縁に沿って配置された状態で、前記係合孔に着脱自在に嵌合する合成樹脂製の挿入片を有し、前記入力面に対する入力操作に使用されるペンと、
前記筐体の前記外周縁の内側に配置され、前記入力面を横切る方向に沿う前記挿入片の寸法よりも小さい距離で前記挿入片に隣接するアンテナと、
を備え、
前記挿入片は、
前記ペンの胴部に取り付けられた保持具の基部から前記ペンの径方向に延びるとともに、前記筐体の前記外周縁に沿う方向の寸法が前記係合孔の開口寸法よりも小さい胴部と、
前記胴部に連続するとともに、前記入力面を横切る方向に沿う寸法が前記係合孔の開口寸法より大きい先端部と、
を有する電子機器。
【請求項２】
前記アンテナは、その少なくとも一部が前記入力面を横切る方向に前記挿入片と重なる位置に配置された請求項１に記載の電子機器。
【請求項３】
前記アンテナは、前記係合孔を通って前記筐体の中に延びた前記挿入片が通される貫通穴を有する請求項１に記載の電子機器。
【請求項４】
入力装置を筐体に内蔵した電子機器に入力操作を行うためのペンであって、
前記筐体の外周縁に前記入力装置の入力面に沿う方向に開口された係合孔に着脱自在に嵌合する合成樹脂製の挿入片を備え、前記挿入片が前記係合孔に挿入された状態では、前記係合孔の近傍で前記筐体の内部に配置されたアンテナに隣接して前記入力面を横切る方向に沿う前記挿入片の寸法よりも小さい位置に前記挿入片が配置され、
前記挿入片は、
前記ペンの胴部に取り付けられた保持具の基部から前記ペンの径方向に延びるとともに、前記筐体の前記外周縁に沿う方向の寸法が前記係合孔の開口寸法よりも小さい胴部と、
前記胴部に連続するとともに、前記入力面を横切る方向に沿う寸法が前記係合孔の開口寸法より大きい先端部と、
を有するペン。
【請求項５】
入力装置およびアンテナを筐体に内蔵した電子機器に入力操作を行うペンを前記筐体に取り付けておく保持方法であって、
前記筐体は、前記入力装置の入力面の周囲に位置された外周縁と、前記入力面に沿う方向に前記外周縁に開口された係合孔と、を有し、
前記ペンは、前記係合孔に着脱自在に嵌合する合成樹脂製の挿入片を側部に有するとともに、前記挿入片は、前記係合孔に対し前記入力面を横切る方向に弾性変形して嵌合する先端部を有し、
前記挿入片の前記先端部が前記挿入片の厚みよりも小さい距離で前記アンテナに接近する位置まで前記挿入片を前記入力面に沿って前記係合孔に差し込むことで、前記ペンを前記筐体の外周縁に沿うように前記筐体に固定するようにしたペンの保持方法。
【手続補正２】
【補正対象書類名】明細書
【補正対象項目名】０００６
【補正方法】変更
【補正の内容】
【０００６】
本発明の一実施形態の電子機器は、筐体とペンとアンテナとを備える。筐体は、入力面と、この入力面の周囲に位置された外周縁と、前記入力面に沿う方向に前記外周縁に開口された係合孔と、を有している。ペンは、前記筐体の前記外周縁に沿って配置された状態で、前記係合孔に着脱自在に嵌合する合成樹脂製の挿入片を有し、前記入力面に対する入力操作に使用される。アンテナは、前記筐体の前記外周縁の内側に配置され、前記入力面を横切る方向に沿う前記挿入片の寸法よりも小さい距離で前記挿入片に隣接する。
前記挿入片は、胴部および先端部を有する。前記胴部は、前記ペンの胴部に取り付けられた保持具の基部から前記ペンの径方向に延びるとともに、前記筐体の前記外周縁に沿う方向の寸法が前記係合孔の開口寸法よりも小さい。前記先端部は、前記胴部に連続するとともに、前記入力面を横切る方向に沿う寸法が前記係合孔の開口寸法より大きい。
【手続補正３】
【補正対象書類名】明細書
【補正対象項目名】０００７
【補正方法】変更
【補正の内容】
【０００７】
本発明の一実施形態のペンは、入力装置を筐体に内蔵した電子機器に入力操作を行うためのペンであって、前記筐体の外周縁に前記入力装置の入力面に沿う方向に開口された係合孔に着脱自在に嵌合する合成樹脂製の挿入片を備えている。前記挿入片が前記係合孔に挿入された状態では、前記係合孔の近傍で前記筐体の内部に配置されたアンテナに隣接して前記入力面を横切る方向に沿う前記挿入片の寸法よりも小さい位置に前記挿入片が配置される。
前記挿入片は、胴部および先端部を有する。前記胴部は、前記ペンの胴部に取り付けられた保持具の基部から前記ペンの径方向に延びるとともに、前記筐体の前記外周縁に沿う方向の寸法が前記係合孔の開口寸法よりも小さい。前記先端部は、前記胴部に連続するとともに、前記入力面を横切る方向に沿う寸法が前記係合孔の開口寸法より大きい。
【手続補正４】
【補正対象書類名】明細書
【補正対象項目名】０００８
【補正方法】変更
【補正の内容】
【０００８】
本発明の一実施形態のペンの保持方法は、入力装置およびアンテナを筐体に内蔵した電子機器に入力操作を行うペンを前記筐体に取り付けておくためのペンの保持方法である。
前記筐体は、前記入力装置の入力面の周囲に位置された外周縁と、前記入力面に沿う方向に前記外周縁に開口された係合孔と、を有し、前記ペンは、前記係合孔に着脱自在に嵌合する合成樹脂製の挿入片を側部に有するとともに、前記挿入片は、前記係合孔に対し前記入力面を横切る方向に弾性変形して嵌合する先端部を有する。
前記挿入片の前記先端部が前記挿入片の厚みよりも小さい距離で前記アンテナに接近する位置まで前記挿入片を前記入力面に沿って前記係合孔に差し込むことで、前記ペンを前記筐体の外周縁に沿うように前記筐体に固定する。
【手続補正５】
【補正対象書類名】明細書
【補正対象項目名】０００９
【補正方法】変更
【補正の内容】
【０００９】
【図１】第１の実施形態の電子機器にペンを装着した状態を示す斜視図。
【図２】図１のペンを筐体から取り外した電子機器の分解斜視図。
【図３】第１の実施形態の電子機器とペンの嵌合部の断面図。
【図４】図３のＦ４−Ｆ４線に沿う電子機器とペンの嵌合部の断面図。
【図５】第２の実施形態の電子機器とペンの嵌合部の断面図。
【図６】第３の実施形態の電子機器からペンを取り外した分解斜視図。
【図７】第４の実施形態の電子機器からペンを取り外した分解斜視図。
【図８】第５の実施形態の電子機器からペン及び保持具を取り外した分解斜視図。
【手続補正６】
【補正対象書類名】明細書
【補正対象項目名】００１７
【補正方法】変更
【補正の内容】
【００１７】
以上のように、入力装置４としてタッチパネルを筐体２に内蔵した電子機器１の入力面４１に対する入力操作をするためのペン６を使用しない場合には、ペン６を筐体２に取り付けておく。本実施形態では、アンテナ５が内蔵された筐体２の外周縁２１に、入力面４１に沿う方向へ外周縁２１に開口した係合孔２２を設け、この係合孔２２に着脱自在に嵌合する合成樹脂製の挿入片６１をペン６の側部に設ける。挿入片６１は、ペン６の軸方向に沿う係合孔２２よりも小さく、入力面４１を横切る方向に係合孔２２に対して弾性変形して嵌合する厚みを有している。そして、挿入片６１の厚みよりも小さい距離にアンテナ５に接近する位置まで入力面４１に沿って外周縁２１を横切る方向へ挿入片６１を係合孔２２に差し込むことで、ペン６を筐体２に着脱可能に固定する。
【手続補正７】
【補正対象書類名】図面
【補正対象項目名】図１
【補正方法】変更
【補正の内容】
【図１】
2017069867.tif 000001
【手続補正８】
【補正対象書類名】図面
【補正対象項目名】図２
【補正方法】変更
【補正の内容】
【図２】
2017069867.tif 000002
【手続補正９】
【補正対象書類名】図面
【補正対象項目名】図３
【補正方法】変更
【補正の内容】
【図３】
2017069867.tif 000003
【手続補正１０】
【補正対象書類名】図面
【補正対象項目名】図６
【補正方法】変更
【補正の内容】
【図６】
2017069867.tif 000004
【手続補正１１】
【補正対象書類名】図面
【補正対象項目名】図７
【補正方法】変更
【補正の内容】
【図７】
2017069867.tif 000005
【手続補正１２】
【補正対象書類名】図面
【補正対象項目名】図８
【補正方法】変更
【補正の内容】
【図８】
2017069867.tif 000006